(57)【要約】【課題】出席者の座席の位置を表示し、かつ出席者に笑いを誘うようなおもしろさや興味深さを伴った結婚披露宴用席札の提供。【解決手段】席札本体１を、席札以外の用途を持った物品の形状である、国会や地方議会の議員の出席札の形状である三角柱状に構成し、その三側面の各中央部を披露宴出席者の氏名を表示する氏名表示部２とし、その各々の右上をパロディ表示部３とする。席札本体１は、板紙を折って三角柱状に形成する。氏名表示部２を構成する席札本体１の三側面の各中央部と三側面の各右上部のパロディ表示部３との間には境界を示す区画ラインは描かない。氏名表示部２には縦書き行書体で出席者の氏名を記載する。また右上のパロディ表示部３には、「新婦友人党」のようにパロディ表示をする。氏名表示部の表示が新郎の友人である場合は「新郎友人党」とする。新婦の親類であれば「新婦親類党」と表示する。【選択図】  図２
0003150618.tif 000002
【実用新案登録請求の範囲】
【請求項１】
結婚披露宴の席札以外の用途を持った物品である、食品包装用の容器、薬品包装用の容器、音響機器用記録媒体、動画又は静止画用機器の記録媒体、生活雑貨関係の容器、並びに議員席札又は表札類のいずれかの形状である、円柱状、円筒状、三角柱及び四角柱を含む角柱状、直方体状、立方体状、正四面体状、板状、一面を平面にした球状又は一面を平面にした楕円球状から選ばれるいずれか一つの形状の席札本体を構成し、該席札本体の表面に、対応するテーブルの対応する座席に指定された披露宴出席者の氏名を表示する氏名表示部を構成した結婚披露宴用席札。
【請求項２】
前記席札本体の表面に、前記氏名表示部に加えて、パロディを表示するパロディ表示部を構成した請求項１の結婚披露宴用席札。
【請求項３】
前記席札本体の形状として、議員席札である国会議員又は地方議会議員の席札形状である三角柱を採用し、議員氏名表示部に対応する一面を披露宴出席者の氏名表示部に構成した請求項１の結婚披露宴用席札。
【請求項４】
前記席札本体の形状として、動画又は静止画用機器の記録媒体である銀塩写真のフィルムケース形状である円筒体を採用し、その周側の一部を披露宴出席者の氏名表示部に構成した請求項１の結婚披露宴用席札。
【請求項５】
前記席札本体の内部に、菓子類又は記念品を収納することとした請求項１、２、３又は４の結婚披露宴用席札。
【考案の詳細な説明】
【技術分野】
【０００１】
本考案は、結婚披露宴に於いて、各テーブル上に配して、招待客の各々の座席がそこであることを表示する結婚披露宴用席札に関する。
【背景技術】
【０００２】
このような結婚披露宴等に用いる席札には種々の提案がある。
【０００３】
特許文献１は、本体の一部に貫通孔を設け、該貫通孔を利用したキーホルダ等の連結具を備えた種々の形状の席札と、該席札の一部を挿入することで、該席札を立てることができる挿入孔を備えた席札立てとで構成した席札セットである。
【０００４】
この席札セットは、結婚披露宴等で、所定のテーブルの所定の位置に配した席札立ての挿入孔に、席札の該当する部位を挿入することで、該席札を立ち上げた状態に配することが可能になり、当該の席札による座席の良好な表示機能を発揮させることができる。使用後は、該席札は、装飾として適切であるように構成しておけば、キーホルダ等の連結具の装飾として有効に利用可能である。席札立ては、更に繰り返して、同種の席札を立てるために使用可能である。
【０００５】
特許文献２は、複数の人が各々テーブル前に着席して行われる結婚披露宴等の集会に用いられ、該テーブルに載置され着席する人の名前を表示した席札として機能する席表示物に於いて、
席札以外の用途を有し、上記テーブルに載置される本体を備え、該本体に名前を表示した席表示物であり、具体的には、立てた状態で置ける透明ケースに入れたＣＤ、扇子又は俵状物であり、ＣＤ及び扇子は、各々その表面に、当該位置に着席する人の名前を表示することとし、俵状物は、その前面に構成した平坦な部分に着席する人の名前を表示するようにするものである。
【０００６】
この席表示物では、例えば、前記ＣＤを利用した場合は、前記のように、席表示物として十分に機能可能であると共に、それに結婚当事者の種々の情報を記憶保存させておけば、持ち帰った披露宴出席者は、結婚当事者に関する種々の文字情報及び画像情報を家庭等のパソコンを利用して閲覧することが可能になる。また扇子の場合は、席表示物として当然有効に利用可能であると共に、持ち帰った場合には扇子として十分利用可能である。俵状物も表示物として十分有効に利用できると共に、持ち帰った場合には置物等として有効に利用可能である。
【０００７】
特許文献３は、結婚披露宴やパーティ等で卓上に載置される自立型席札に於いて、席札として使用した後、装飾品又は記念品として贈呈するようにした自立型席札であって、少なくとも数ミリ程度の板厚を有する化粧板部材の所定領域を型抜きし、正面視で窓部を形設するとともに、該窓部に装飾体を半ば立体的に沈設・収容し、化粧板部材の正面視余白にタイトル、列席者の氏名、その他のメッセージを含む主催者側の記事を表示可能なレイアウトを施してなる自立型席札である。
【０００８】
この自立型席札によれば、席札としては、それぞれ対応する卓上に配置されて十分有効に機能する。またそれなりに装飾を施された態様に構成されることにより、使用後に列席者に贈呈する品としても使用可能であるように思われる。
【０００９】
特許文献４は、飲料を充填したビンに、各個人名をサンドブラストにより刻設して、結婚披露宴等の宴席の席札として用いる名前入り飲料用ビンであり、該ビンには、リボン等の装飾を施すと共に、前記刻設した個人名を金色等にて着色し、更に該飲料を赤ワイン、ロゼワイン等の色つきのものとした名前入り飲料用ビンである。
【００１０】
この名前入り飲料用ビンは、前記のように、その表面に名前を刻設し、金色等に着色したものであり、所定の座席前のテーブル上に載置すれば、席札として有効に機能すると共に、披露宴等の終了後には、これを持ち帰って貰うようにすることが可能であり、記念品として保管して貰い、或いは好きなときに飲料を飲んで貰うようにすることもできる。
【００１１】
特許文献５は、結婚披露宴の出席者席に添えられる席札であって、該席札は、模様等が印刷された一枚状の紙片を、該紙片に予め形成される一対の折り目のうち手前側のものを谷折りし手先側のものを山折りして、手前側及び手先側に山形状に起立する一対の傾斜折り片と、手前側傾斜折り片の下端縁からさらに手前側に続く水平折り片とで少なくとも構成すると共に、手前側傾斜折り片には出席者名を記すための記名欄が設けられ、水平折り片には新郎新婦のメッセージを記すためのメッセージ欄が設けられている結婚披露宴用席札である。
【００１２】
この結婚披露宴用席札は、斜めに立ち上がる手前側傾斜折り片に出席者の氏名を記入して、出席者に自席を分かりやすく表示すると共に、着席した場合には、その手前の水平折り片に記載された新郎新婦のメッセージを読むことができるようになっており、披露する側の気持ちを伝えることができるようになっているものである。
【先行技術文献】
【特許文献】
【００１３】
【特許文献１】実用新案登録第３０９４４３１号公報
【特許文献２】実用新案登録第３０９１３３３号公報
【特許文献３】実用新案登録第３０５９２１５号公報
【特許文献４】実用新案登録第３０３８９８７号公報
【特許文献５】実用新案登録第３０１４１７６号公報
【考案の概要】
【考案が解決しようとする課題】
【００１４】
本考案は、単に披露宴への出席者の座席の位置を表示するに止まるのではなく、出席者に思わず笑いを誘うようなおもしろさや興味深さを伴った結婚披露宴用席札を提供することを解決の課題とする。
【課題を解決するための手段】
【００１５】
本考案の１は、結婚披露宴の席札以外の用途を持った物品である、食品包装用の容器、薬品包装用の容器、音響機器用記録媒体、動画又は静止画用機器の記録媒体、生活雑貨関係の容器、並びに議員席札又は表札類のいずれかの形状である、円柱状、円筒状、三角柱及び四角柱を含む角柱状、直方体状、立方体状、正四面体状、板状、一面を平面にした球状又は一面を平面にした楕円球状から選ばれるいずれか一つの形状の席札本体を構成し、該席札本体の表面に、対応するテーブルの対応する座席に指定された披露宴出席者の氏名を表示する氏名表示部を構成した結婚披露宴用席札である。
【００１６】
本考案の２は、本考案の１の結婚披露宴用席札に於いて、前記席札本体の表面に、前記氏名表示部に加えて、パロディを表示するパロディ表示部を構成したものである。
【００１７】
本考案の３は、本考案の１の結婚披露宴用席札に於いて、前記席札本体の形状として、議員席札である国会議員又は地方議会議員の席札形状である三角柱を採用し、議員氏名表示部に対応する一面を披露宴出席者の氏名表示部に構成したものである。
【００１８】
本考案の４は、本考案の１の結婚披露宴用席札に於いて、前記席札本体の形状として、動画又は静止画用機器の記録媒体である銀塩写真のフィルムケース形状である円筒体を採用し、その周側の一部を披露宴出席者の氏名表示部に構成したものである。
【００１９】
本考案の５は、本考案の１、２、３又は４の結婚披露宴用席札に於いて、前記席札本体の内部に、菓子類又は記念品を収納することとしたものである。
【考案の効果】
【００２０】
本考案の１の結婚披露宴用パロディ席札によれば、結婚披露宴の席札以外の何らかの用途を持った物品の形状を備えた部材を利用した席札であるが、その一部に構成した氏名表示部に出席者の氏名を表示し、対応する座席前のテーブル上にこれを配置することにより、当然、その出席者に当該の座席がその出席者用に用意されたものであることを報知することができるものであり、更にその席札が、前記のように、元来、席札ではない、他の用途を持った物品の形状を有しているものであるが故に、それ自体が、パロディを感じさせ、出席者に思わず笑いを誘うようなおもしろさや興味深さを提供することができるものでもある。
【００２１】
なお、前記食品包装用の容器としては、具体的には、チョコレートケース、お菓子箱、ドリンク缶（ビール缶、ジュース缶等）、ラーメン缶又は牛乳パック等を採用可能であり、円柱状、円筒状、三角柱及び四角柱を含む角柱状、直方体状、立方体状、正四面体状、板状、一面を平面にした球状又は一面を平面にした楕円球状等であるそれらの物品形状から一つを選んで、席札に転用するものであり、前記のように、これがパロディを感じさせることになる。
【００２２】
前記薬品包装用の容器としては、具体的には、風邪薬又は胃腸薬の容器、或いは栄養ドリンクの容器等が考えられ、それらの形状である立方体状、直方体状、板状（より詳しくは板状の袋状）等が採用可能である。前記音響機器用記録としては、具体的には、レコード盤、カセットテープ又はＣＤ等でありそれらの形状である、直方体状、立方体状、板状（円形板状）等が採用可能である。前記動画又は静止画用機器の記録媒体としては、具体的には、カメラやビデオカメラ用のフレキシブルディスク、フィルムケース等であり、それらの形状である、円柱状、円筒状又は板状（四辺形板状、円形板状等）等が採用可能である。
【００２３】
前記生活雑貨関係の容器としては、具体的には、洗剤の容器等であり、それらの形状である、直方体状、立方体状、正四面体状、板状等が採用可能である。また前記議員席札又は表札類としては、具体的には、国会議員席札、地方議会議員席札、家の表札等であり、それらの形状である、三角柱及び四角柱を含む角柱状又は板状等が採用可能である。
【００２４】
本考案の２の結婚披露宴用席札によれば、それ自体が、他の用途を持った物品の形状に構成されていることから感じさせられるパロディに加えて、そのいずれかの部位にパロディ表示部を作成し、これに、用語上、物品との関係に於けるパロディ、その他のパロディ表示をすることとしたため、より一層おかしさや興味深さを深めることができることになる。
特に前記パロディ表示部に表示するパロディとして、前記席札本体が採用した形状の物品の用途、機能又は性質に関係させて作成する結婚に関する又は結婚当事者に関するパロディを表示すれば、一層、愉快であり、興味深さが深まるものと思われる。
【００２５】
本考案の３の結婚披露宴用席札によれば、前記物品として、国会や地方議会の議員の出席札を模した形状である三角柱状にしたため、新婦側の出席者に関しては、例えば、その一部に「新婦友人党」等のパロディ表示をすることが可能であり、また同様に新郎側の出席者には「新郎友人党」などのパロディ表示をすることが可能であって、愉快であったり、笑いを誘うものとすることができる。このようなパロディは、前記席札本体が採用した形状の物品の用途、機能又は性質に関係させて作成する結婚に関する又は結婚当事者に関するパロディであると言うことができる。
【００２６】
本考案の４の結婚披露宴用席札によれば、前記物品として、銀塩写真のフィルムケースを模した形状である円筒状にしたため、例えば、その一部に「Ｋｅｋｋｏｎ」等のメーカー名と結婚に関するパロディ表示が可能となり、愉快であったり、笑いを誘うものとすることができる。このパロディ表示も前記席札本体が採用した形状の物品の用途、機能又は性質に関係させて作成する結婚に関する又は結婚当事者に関するパロディであると言うことができる。
【００２７】
本考案の５の結婚披露宴用席札によれば、フィルムケース状の円筒状部材である席札本体、或いはその他の形状の席札本体の内部に、菓子類又は記念品を収納することとしたため、同時に記念品のプレゼントやお菓子類など提供を行うことが可能であり、出席者には、おもしろさや愉快さに加えてその内部に収納されているものを想像したり、お菓子であれば、これを後で食べる楽しみを味わうことが可能になる。
【図面の簡単な説明】
【００２８】
【図１】席札本体の形状となる他の物品の形状を示すもので、(a)は円柱状、(b)は円筒状、(c)は三角柱、(d)は四角柱、(e)は直方体状、(f)は立方体状、(g)は正四面体状、(h)は板状、(i)も板状、(j)は一面を平面にした球状、(k)は一面を平面にした楕円球状。
【図２】実施例１の結婚披露宴用席札の斜視図。
【図３】(a)は実施例２の結婚披露宴用席札の正面側斜視図、(b)は右側面側斜視図、(c)は背面側斜視図、(d)は左側面側斜視図。
【考案を実施するための形態】
【００２９】
本考案は、基本的に、結婚披露宴の席札以外の用途を持った物品である、食品包装用の容器、薬品包装用の容器、音響機器用記録媒体、動画又は静止画用機器の記録媒体、生活雑貨関係の容器、並びに議員席札又は表札類のいずれかの形状である、円柱状、円筒状、三角柱及び四角柱を含む角柱状、直方体状、立方体状、正四面体状、板状、一面を平面にした球状又は一面を平面にした楕円球状から選ばれるいずれか一つの形状の席札本体を構成し、該席札本体の表面に、対応するテーブルの対応する座席に指定された披露宴出席者の氏名を表示する氏名表示部を構成した結婚披露宴用席札である。
【００３０】
前記席札本体として用いる席札とは異なる他の用途を持った物品は、披露宴出席者の氏名を表示する氏名表示部を構成可能、テーブル上に載置可能、更に結婚披露宴に適合可能の条件を満たせば、広く様々な物品を自由に採用可能である。
【００３１】
例えば、前記席札本体として用いる席札とは異なる他の用途を持った物品の内、前記食品包装用の容器としては、具体的には、チョコレートケース、お菓子箱、ドリンク缶（ジュース缶、ビール缶等）、ラーメン缶又は牛乳パック等を採用可能であり、前記薬品包装用の容器としては、具体的には、風邪薬又は胃腸薬等の容器、或いは栄養ドリンクの容器等を採用可能であり、前記音響機器用記録媒体としては、具体的には、レコード盤、カセットテープ、ＣＤ等が採用可能であり、前記動画又は静止画用機器の記録媒体としては、具体的には、カメラやビデオカメラ用のフレキシブルディスク、フィルムケース等が採用可能であり、前記生活雑貨関係の容器としては、具体的には、洗剤の容器等が採用可能であり、また前記議員席札又は表札類としては、具体的には、国会議員席札、地方議会議員席札、家の表札等が採用可能である。
【００３２】
それらの形状は、それら自体の本来の用途によって概ね決まるが、前記し、図１(a)に示すような円柱状、(b)に示すような円筒状、(c)に示すような三角柱及び(d)に示すような四角柱を含む角柱状、(e)に示すような直方体状、(f)に示すような立方体状、(g)に示すような正四面体状、(h)又は(i)に示すような板状、(j)に示すような一面を平面にした球状又は(k)に示すような一面を平面にした楕円球状のいずれかであり、場合によっては、これらの形状に若干の変形を伴ったもので、そのまま又は適切な形状調整を行った上で、いずれも適用可能である。
【００３３】
前記席札本体には、その表面の一部に、前記氏名表示部に加えて、文字表記によってパロディを表示するパロディ表示部を構成することができる。パロディは、種々の態様のそれを採用することができるが、特に該パロディ表示部に表示するパロディとして、該席札本体が採用した形状の物品の用途、機能又は性質に関係させて作成する結婚に関する又は結婚当事者に関するパロディを表示すれば、一層、愉快であり、興味深さが深まるものと思われる。
【００３４】
従って本考案の結婚披露宴用パロディ席札によれば、これは、結婚披露宴の席札以外の何らかの用途を持った物品の形状を利用して構成したものであり、その一部に構成した氏名表示部に出席者の氏名を表示し、対応する座席前のテーブル上にこれを配置することにより、席札としての機能を有効に発揮させることができることは云うまでもないが、その席札が、前記のように、元来、席札ではない、他の用途を持った物品の形状を有しているものであるが故に、それ自体が、パロディを感じさせ、出席者に思わず笑いを誘うようなおもしろさや興味深さを提供することができるものでもある。
【００３５】
また、前記のように、席札本体の表面のいずれかの部位にパロディ表示部を作成し、これに、用語上、物品との関係に於けるパロディ、その他のパロディ表示をすることとしたため、よりおかしさや興味深さを深めることができることになる。
【００３６】
更に、席札本体を如何なる形状に構成したとしても、その内部に空間を構成し、その内部空間に、菓子類又は記念品を収納することとすることが可能である。そしてそのようにした場合は、記念品のプレゼントやお菓子類などの提供を、これによって行うことが可能であり、出席者には、おもしろさや愉快さに加えてその内部に収納されているものを想像したり、お菓子であれば、これを後で食べる楽しみを味わうことが可能になる。
【実施例１】
【００３７】
実施例１の結婚披露宴用席札は、図２に示すように、その席札本体１を、席札以外の用途を持った物品の形状、この場合は、国会や地方議会の議員の出席札の形状である三角柱状に構成し、その三側面の各中央部を披露宴出席者の氏名を表示する氏名表示部２とし、その各々の右上をパロディ表示部３としたものである。
【００３８】
前記席札本体１は、前記のように、国会議員等の出席札の形状に構成したものであり、その外形は、前記のように、三角柱状である。これは、種々の態様で構成することが可能で、例えば、中実のプラスチックや木材等で構成することも可能であるが、紙やプラスチックシート等を利用して中空状態に構成することも可能である。これが適当である。この実施例１では、板紙を所定の形に打ち抜き、一般の技法に従って、必要な部位で折って中空の三角柱状に構成したものである。この実施例１では、内部に何も充填していないが、プレゼント用の菓子類その他をこの中に入れ、持ち帰った後等に、取り出して食べることができるようにすることもできる。
【００３９】
前記氏名表示部２は、前記席札本体１の三側面の各中央部をそれとして用いる。各側面の右上部は、先に述べたように、パロディ表示部３とするが、該氏名表示部２と該パロディ表示部３との間には、この実施例１では、特に境界を示す区画ライン等は描かない。
【００４０】
該氏名表示部２には、図２に示すように、この実施例１では、縦書き行書体で出席者の氏名を記載している。また右上のパロディ表示部３には、「新婦友人党」のパロディ表示をしている。この場合は、氏名表示部２に表示された招待客が新婦の友人であるためそのように表示しているが、新郎の友人であれば、「新郎友人党」とすることができる。親類であれば、「新婦親類党」等と表示することもできる。なお、以上の「新婦友人党」等の表示は、前記した、「席札本体が採用した形状の物品の用途、機能又は性質に関係させて作成する結婚に関する又は結婚当事者に関するパロディ」に該当するものであるのは云うまでもない。
【００４１】
ところで、氏名表示部２及びパロディ表示部３には、図２中では、煩雑になるので、模様等は表示していないが、実際には、結婚披露宴に相応しい種々の記号、図形その他の模様を描くことができる。席札本体１の上下端も同様である。
【００４２】
この実施例１の結婚披露宴用席札は、このように構成したものであるから、出席者の氏名を氏名表示部２に表示し、パロディ表示部３には、氏名表示部２に表示した出席予定者に対応するパロディ表示、例えば、新婦の友人であれば、「新婦友人党」等の表示を行い、それぞれの席札を、各テーブルの該当する座席の前の位置に配置して立てておくことにより、入室し、座席案内表等に従ってテーブルを探し出した出席者に、これを容易に見出させ、正しい座席に着席させるようにすることができる。
【００４３】
またこの結婚披露宴用席札によって自己の座席を見出した披露宴出席者には、その席札本体１の形状及びパロディ表示部３に記載されているパロディ表示を見て楽しんで貰うことができる。
【実施例２】
【００４４】
実施例２の結婚披露宴用席札は、図３(a)〜(d)に示すように、その席札本体１１を、席札以外の用途を持った物品の形状、即ち、この場合は、銀塩写真のフィルムケースの形状に構成し、その円筒状の席札本体１１の周側面の一定部位を披露宴出席者の氏名を表示する氏名表示部１２とし、該氏名表示部１２から９０度右側の位置をパロディ表示部１３とし、更にその９０度右側を結婚当事者のプロフィールを表示するプロフィール表示部１４としたものである。なお、氏名表示部１２と、パロディ表示部１３と、プロフィール表示部１４とは、上記のように、周方向に９０度の角度間隔で位置させたものであるが、この角度間隔は、それぞれの表示部の中心間の角度間隔である。
【００４５】
前記席札本体１１は、前記のように、銀塩写真のフィルムケースの形状に構成したものであり、その外形は円筒状乃至円柱状である。これは、種々の態様で構成することが可能であり、例えば、中実のプラスチック円柱や木材円柱等で構成することも可能であるが、紙やプラスチックシート等を利用して中空円筒状態に構成することも可能である。後者が適当である。この実施例２では、長方形の板紙を丸め、その板紙の一端の糊代を他端の裏面側に配して相互を糊で接着固定して円筒体を構成し、その両端の円形開口を板紙で形成した円形蓋を配して閉じたものである。円形の蓋は、その周縁に糊代を形成して置き、これを該円筒体の開口部内縁に当接させ、相互を糊で接着して固定するものである。
【００４６】
なお、この実施例２では、該フィルムケース状の席札本体１１の内部に何も入れていないが、プレゼント用の菓子類その他をこの中に入れ、持ち帰り後等に、取り出して食べることができるようにすることもできる。これは実施例１のそれと同様である。
【００４７】
前記氏名表示部１２は、図３(a)に示すように、該席札本体１１の周側面にその軸方向と平行（縦向）に構成する。具体的には、同図に示すように、この実施例２では、両側に区画線を引いてその内部を氏名表示部１２とする。この氏名表示部１２内には、同図に示すように、縦書きで出席者の氏名を表示する。氏名は漢字で表示する。
【００４８】
前記パロディ表示部１３は、図３(b)に示すように、この実施例２では、その右側に三本の線を縦向に描いてその左側をそのためのエリアとする。前記したように、このパロディ表示部１３の中心は、前記氏名表示部１２の中心から周方向９０度の角度間隔の部位に構成したものである。
【００４９】
このパロディ表示部１３には、この実施例２では、同図に示すように、文字の上部を右側としてローマ字で「Ｋｅｋｋｏｎ」と表示し、その左側に同様に文字の上部を右側に向けてローマ字で「Ｔａｋａｓｈｉ＆Ｓａｙａｋａ」と結婚当事者の名前を少し小さな字で表示したものである。「Ｋｅｋｋｏｎ」は、席札本体１１の形状とカメラメーカー又はフィルムメーカーの名称等を考慮したパロディでもある。なお、以上のパロディは、前記した、「席札本体が採用した形状の物品の用途、機能又は性質に関係させて作成する結婚に関する又は結婚当事者に関するパロディ」に該当するものであるのは云うまでもない。
【００５０】
前記プロフィール表示部１４は、図３(c)に示すように、この実施例２では、席札本体１１の周側面の該当する部位、即ち、前記したように、パロディ表示部１３の中心から右側に９０度の角度間隔の位置を中心とするエリアをそれとして用い、そのエリアの上半分を新郎のプロフィール表示区画に、下半分を新婦のプロフィール表示区画にしたものである。このエリアは、この実施例２では、特に区画線などで囲むことはしていない。
【００５１】
プロフィールの表示事項及び表示の仕方は自由であるが、この実施例２では、項目を英単語で、表示内容を日本語でいずれも横書きで表示している。フィルムの説明のようなイメージを採用したものである。
【００５２】
前記氏名表示部１２の左側で、前記プロフィール表示部１４の右側の部位は、特別なエリアとはしていない。該プロフィール表示部１４の右端が若干そのエリアに入り込んでいる程度で、空き領域になっている。
【００５３】
なお、以上の氏名表示部１２、パロディ表示部１３、プロフィール表示部１４及び若干の空き領域は、図３(a)〜(d)中では、煩雑になるので、特別に何も表示していないが、必要に応じて、結婚披露宴に相応しい図形等を描くことも可能である。席札本体１１の上下端も同様である。
【００５４】
この実施例２の結婚披露宴用席札は、このように構成したものであるから、それぞれ出席者の氏名をそれぞれの氏名表示部１２に表示し、パロディ表示部１３には、その席札本体１１の物品形状に関係し、かつ結婚に関係するパロディ表示をし、更にプロフィール表示部１４に結婚当事者のそれぞれのプロフィールを表示した上で、各席札を、各テーブルの該当する座席の前の位置に配置して立てておけば、入室し、座席案内表等に従ってテーブルを探し出した出席者に、これを容易に見出させ、正しい座席に着席させるようにすることができる。
【００５５】
またこの結婚披露宴用席札によって自己の座席を見出した披露宴出席者には、その席札本体１１の形状及びパロディ表示部１３に記載されているパロディ表示を見て楽しんで貰うこともできる。更にプロフィール表示部１４に表示される当事者のプロフィールを読んで結婚当事者の各々について理解を深めて貰うこともできる。
【符号の説明】
【００５６】
１、１１  席札本体
２、１２  氏名表示部
３、１３  パロディ表示部
１４  プロフィール表示部
【図１】
0003150618.tif 000003
【図２】
0003150618.tif 000004
【図３】
0003150618.tif 000005
【手続補正書】
【提出日】平成21年3月11日(2009.3.11)
【手続補正１】
【補正対象書類名】図面
【補正対象項目名】図２
【補正方法】変更
【補正の内容】
【図２】
0003150618.tif 000006
【手続補正２】
【補正対象書類名】図面
【補正対象項目名】図３
【補正方法】変更
【補正の内容】
【図３】
0003150618.tif 000007